(57)【要約】【課題】湯中にある垢等の有機物をより素早く分解させることにより、塩素薬剤を投与しなくても清浄な浴槽湯を維持できる２４時間風呂システムを提供する。【解決手段】生物濾過槽内の濾材に微生物が活性化するミネラル分を溶出させることのできる天然鉱石と、前記天然鉱石から溶出したミネラル分に不足しているミネラル成分がある場合に、循環路に異種金属を重ね合わせることで不足ミネラル分を補うことのできるミネラル溶出部と、浴槽内に微細な気泡を発生させることにより、前記生物濾過槽内に生息する微生物に酸素を供給することで、更に微生物を活性化させることのできる気泡発生部と、を有する。【選択図】図１
2008149307.tif 000002
【特許請求の範囲】
【請求項１】
浴槽内の湯を循環させて紫外線殺菌槽内及び生物濾過槽内を介し、入浴に適した温度に常時調節できる装置を備えて構成された２４時間風呂において、前記生物濾過槽内の濾材に微生物が活性化するミネラル分を溶出させることのできる天然鉱石と、前記天然鉱石から溶出したミネラル分に不足しているミネラル成分がある場合に、循環路に異種金属を重ね合わせることで不足ミネラル分を補うことのできるミネラル溶出部と、浴槽内に微細な気泡を発生させることにより、前記生物濾過槽内に生息する微生物に酸素を供給でき更に微生物を活性化させることのできる気泡発生部と、を備えたことを特徴とする２４時間風呂システム。
【発明の詳細な説明】
【技術分野】
【０００１】  本発明は、浴槽湯中に含有する垢等の有機物を生物濾過槽内で素早く分解することにより、有機物含有量の少ない清潔なお湯を循環させる２４時間風呂システムに関する。
【背景技術】
【０００２】  ２４時間風呂システムとは、いつでも入浴できる水温に維持されたお風呂のことであり、又、湯中に生存する細菌類を殺菌する殺菌装置及び垢等の有機物を除去するためにフィルターや生物濾過槽を介し循環する装置を具備したものである。【０００３】  例えば下記の特許文献１においては、濾過機内の濾過剤に吸着された菌類を６５℃以上のボイラーの湯によって有機物質及び菌類を除去し、更に残留塩素濃度が０．４ｍｇ以下となるように制御しながら塩素系薬剤を注入し、レジオネラ菌類を除去する方法が提案されている。【０００４】
【特許文献１】特開２００３−１１７５６１号公報
【発明の開示】
【発明が解決しようとする課題】
【０００５】
【０００６】  しかしながら、特許文献１に記載の２４時間風呂の濾過システムは、塩素薬剤を用い浴槽湯の残留塩素が０．４ｍｇ以下となるように制御し、清浄な浴槽湯を維持しているので、塩素が人の肌に付着し肌の弱い方は肌荒れ起こしてしまうという課題を有していた。
【課題を解決するための手段】
【０００７】  本発明は上記の課題を解決するもので、従来の２４時間風呂の濾材に生息する微生物を活性化させるためにミネラル成分を含有した天然鉱石を用い、前記天然鉱石から溶出するミネラル分の不足ミネラル成分をミネラル溶出部で更に補給し、浴槽内の気泡発生部から微細な気泡を発生させることにより湯中の溶存酸素量を高めて、濾材中に生息する微生物に酸素供給し活性化させて湯中にある垢等の有機物をより素早く分解させることにより、塩素薬剤を投与しなくても清浄な浴槽湯を維持できる２４時間風呂システムを提供することを目的とする。【０００８】  本発明の請求項１に記載の２４時間風呂システムは、浴槽内の湯を循環させて紫外線殺菌槽内及び生物濾過槽内を介し、入浴に適した温度に常時調節できる装置を備えて構成された２４時間風呂において、前記生物濾過槽内の濾材に微生物が活性化するミネラル分を溶出させることのできる天然鉱石と、前記天然鉱石から溶出したミネラル分に不足しているミネラル成分がある場合に、循環路に異種金属を重ね合わせることで不足ミネラル分を補うことのできるミネラル溶出部と、浴槽内に微細な気泡を発生させることにより、前記生物濾過槽内に生息する微生物に酸素を供給でき更に微生物を活性化させることのできる気泡発生部と、を備えて構成されている。
この構成により、以下のような作用を有する。
（１）生物濾過槽内の微生物にとって必要なミネラル分を含有した天然鉱石を濾材に用いることでミネラル分が湯中に溶出し、そのミネラル分を微生物が摂取することで繁殖し活性化するので、垢等の有機物を素早く分解することにより常時清浄な浴槽湯を維持することができる。
（２）循環路中にミネラル溶出部を接続することで、天然鉱石から湯中に溶出するミネラル分の成分が不足している場合でも、不足ミネラル分を補い生物濾過槽内の微生物を増やして活性化させることができる。
（３）浴槽内には気泡発生部が配置されているので、微細な気泡を発生させることにより湯中の溶存酸素濃度は上昇し、その湯を生物濾過槽内に循環させることで繁殖した微生物に酸素を多く供給できるので、更に生物濾過槽の微生物を活性化させることができる。
（４）異種の金属を密着させて所望のミネラル分を湯中に溶出させるミネラル溶出部は、イオン化傾向の小さい金属（電位の高い）からイオン化傾向の大きい金属（電位の低い）の方へ電気が流れることにより、イオン化傾向の大きい金属（電位の低い）の方からイオン化傾向の小さい金属（電位の高い）の方へ電子が移動し、イオン化傾向の大きい金属（電位の低い）のミネラル（金属イオン）を湯中に溶出させることができる。
【発明の効果】
【０００９】  本発明の請求項１に記載の２４時間風呂システムによれば、以下のような効果を有する。
（ａ）微生物の活性化により湯中の有機物を素早く分解することができるので、塩素薬剤を注入しなくても、従来の紫外線殺菌槽だけで充分にレジオネラ菌等の菌類を殺菌でき清浄な浴槽湯を維持することができるので、汎用性及び経済性に優れている。
（ｂ）生物濾過槽内の天然鉱石に微生物の活性化に必要なミネラル成分が不足している場合には、その必要なミネラル成分を湯中に溶出させて補うことができ、また同時に微生物に酸素を供給することで更に微生物を活性化させることができ合理的である。
【発明を実施するための最良の形態】
【００１０】  （実施の形態１）
実施の形態１における２４時間風呂システムについて、以下図面を参照しながら説明する。
図１は２４時間風呂システムの要部の断面模式図であり、１は２４時間風呂システム、２は微生物の生息する生物濾過槽、２ａは湯中にミネラル分を溶出する天然鉱石、３は天然鉱石から溶出したミネラル分に不足しているミネラル成分がある場合に、不足ミネラル分を補うことのできるミネラル溶出部、４は浴槽内に微細な気泡を発生させ湯中に酸素を供給できる気泡発生部、Ｆは浴槽から湯Ｗをポンプ１Ｐ又はポンプ２Ｐで吸引する時に、髪等の異物混入を防ぐためにポンプＰのインレット側に配置されたフィルター、Ｈは浴槽内の湯Ｗを入浴に適した温度に調節する加熱ヒター、ＵＶは循環湯に紫外線を照射して殺菌する紫外線殺菌槽、Ｂａはバスタブである。【００１１】  以上のように構成された実施の形態１の２４時間風呂システムについて、以下その動作を説明する。
まず、ポンプ１Ｐを作動させることにより、バスタブＢａ内の湯ＷをフイルターＦを介して吸引し、圧力を加えられた湯Ｗはミネラル溶出部３を通過し生物濾過槽２に送られる。この生物濾過槽２内にはミネラル分を溶出する天然鉱石２ａが詰められ、生物濾過槽２内に生息する微生物に必要なミネラル分が補給され増殖し活性化している。従って湯Ｗ中にある垢等の有機物を素早く分解し加熱ヒターＨに送ることができ、入浴に適した温度に調節して紫外線殺菌槽ＵＶを通過させてバスタブＢａに戻している。
一方ポンプ２Ｐで吸引された湯Ｗは、ポンプ２Ｐのインレット側の吸引力を利用して空気Ｘをバルブで調整しながら混入させて気泡発生部４に供給することで、バスタブＢａ内に微細な気泡を発生させ湯Ｗ中に酸素を溶解させている。【００１２】  図２はミネラル溶出部３内の断面図で、例えば（ａ）は循環湯Ｗが右から左に流れ、異種の金属で作られたＦｅの金属リングとＭｇの金属リングが接触しているので、イオン化傾向の小さいＦｅ（電位の高い）からイオン化傾向の大きいＭｇ（電位の低い）の方へ電気が流れ、Ｍｇイオンが循環湯Ｗ中に溶出される。（ｂ）はイオン化傾向の小さいＣｕ（電位の高い）からイオン化傾向の大きいＦｅ（電位の低い）の方へ電気が流れて、Ｆｅイオンが循環湯Ｗ中に溶出される。
（ｃ）は図２中の金属リングの斜視図であり、また、Ｂはこの金属リングがイオンの溶出による磨耗や金属表面に不動態が形成された時に、金属リングを交換するためやワイヤーブラシ等で金属リングの表面に形成された不動態を除去するためにミネラル溶出部３を開閉できるボルトであり、Ｓは異種の金属リングを強く接触させるためのスプリングである。
【産業上に利用可能性】
【００１３】（１）湯中の有機物をより素早く分解させることにより、常時透明度の高い湯を浴槽に供給できる。
（２）塩素薬剤を投与しなくても清浄な浴槽湯を維持できる２４時間風呂を提供できる。
【図面の簡単な説明】
【００１４】
【図１】  図１は２４時間風呂システムの要部の断面模式図
【図２】  図２はミネラル溶出部３内の断面図
【符号の説明】
【００１５】１      ２４時間風呂システム
２      生物濾過槽
２ａ    天然鉱石
３      ミネラル溶出部
４      気泡発生部
Ｂ      ボルト
Ｂａ    バスタブ
Ｆ      フィルター
Ｈ      加熱ヒター
１Ｐ    循環ポンプ
２Ｐ    気泡発生用ポンプ
Ｓ      スプリング
ＵＶ    紫外線殺菌槽
Ｗ      湯
Ｘ      空気
Ｃｕ    銅
Ｆｅ    鉄
Ｍｇ    マグネシウム
【図１】
2008149307.tif 000003
【図２】
2008149307.tif 000004